(57)【特許請求の範囲】
【請求項１】
第１の通信方法で通信する第１の通信部と第２の通信方法で通信する第２の通信部とを備える通信装置であって、
前記第２の通信部は、
前記第１の通信方法によるポーリング電文に対する応答の電文が予め記憶された記憶部と、
前記第１の通信部から前記第１の通信方法によるポーリング電文を受信したなら、当該ポーリング電文から当該通信装置を示す端末識別子を取り出し、前記第２の通信方法による、当該端末識別子を含むポーリング電文を作成し、外部に送出し、外部から当該ポーリング電文に対する応答の電文を受信したなら、当該電文から当該電文を送信した通信装置を示す端末識別子を取り出し、前記記憶部から電文を読み出し、当該端末識別子を当該電文に含ませ、当該電文を前記第１の通信部へ送信する中継処理部と
を備えることを特徴とする通信装置。
【請求項２】
請求項１記載の通信装置とともに使用される通信装置であって、
第１の通信方法で通信する第１の通信部と第２の通信方法で通信する第２の通信部とを備え、
前記第２の通信部は、
前記第１の通信方法によるポーリング電文が予め記憶された記憶部と、
外部から前記第２の通信方法によるポーリング電文を受信したなら、当該ポーリング電文から当該ポーリング電文を送信した通信装置を示す端末識別子を取り出し、前記記憶部からポーリング電文を読み出し、当該端末識別子を当該ポーリング電文に含ませ、当該ポーリング電文を前記第１の通信部へ送信し、当該第１の通信部から当該ポーリング電文に対する応答の電文を受信したなら、当該電文から当該第２の通信部を備える通信装置を示す端末識別子を取り出し、当該外部から受信したポーリング電文に対する、当該端末識別子を含む応答の電文を作成し、外部に送出する中継処理部と
を備えることを特徴とする通信装置。
【請求項３】
請求項１記載の通信装置とともに使用される通信装置であって、
第１の通信方法で通信する第１の通信部と第２の通信方法で通信する第２の通信部とを備え、
前記第２の通信部は、
前記第１の通信方法によるポーリング電文ならびに当該第２の通信部を備える通信装置を示す端末識別子が予め記憶された記憶部と、
外部から前記第２の通信方法によるポーリング電文を受信したなら、前記記憶部から端末識別子を読み出し、当該ポーリング電文に対する、当該端末識別子を含む応答の電文を作成し、外部に送出するとともに、当該ポーリング電文から当該ポーリング電文を送信した通信装置を示す端末識別子を取り出し、前記記憶部からポーリング電文を読み出し、当該端末識別子を当該ポーリング電文に含ませ、当該ポーリング電文を前記第１の通信部へ送信する中継処理部と
を備えることを特徴とする通信装置。
【請求項４】
第１の通信方法で通信する第１の通信部と第２の通信方法で通信する第２の通信部とを備える通信装置の動作方法であって、
前記第２の通信部は、
前記第１の通信方法によるポーリング電文に対する応答の電文が予め記憶された記憶部を備え、
前記動作方法は、
前記第２の通信部の中継処理部が、前記第１の通信部から前記第１の通信方法によるポーリング電文を受信したなら、当該ポーリング電文から当該通信装置を示す端末識別子を取り出し、前記第２の通信方法による、当該端末識別子を含むポーリング電文を作成し、外部に送出し、
前記第２の通信部の中継処理部が、外部から当該ポーリング電文に対する応答の電文を受信したなら、当該電文から当該電文を送信した通信装置を示す端末識別子を取り出し、前記記憶部から電文を読み出し、当該端末識別子を当該電文に含ませ、当該電文を前記第１の通信部へ送信する
ことを特徴とする通信装置の動作方法。
【請求項５】
請求項１記載の通信装置とともに使用される通信装置の動作方法であって、
当該通信装置は、第１の通信方法で通信する第１の通信部と第２の通信方法で通信する第２の通信部とを備え、
前記第２の通信部は、
前記第１の通信方法によるポーリング電文が予め記憶された記憶部を備え、
前記動作方法は、
前記第２の通信部の中継処理部が、外部から前記第２の通信方法によるポーリング電文を受信したなら、当該ポーリング電文から当該ポーリング電文を送信した通信装置を示す端末識別子を取り出し、前記記憶部からポーリング電文を読み出し、当該端末識別子を当該ポーリング電文に含ませ、当該ポーリング電文を前記第１の通信部へ送信し、
前記第２の通信部の中継処理部が、当該第１の通信部から当該ポーリング電文に対する応答の電文を受信したなら、当該電文から当該第２の通信部を備える通信装置を示す端末識別子を取り出し、当該外部から受信したポーリング電文に対する、当該端末識別子を含む応答の電文を作成し、外部に送出する
ことを特徴とする通信装置の動作方法。
【請求項６】
請求項１記載の通信装置とともに使用される通信装置の動作方法であって、
当該通信装置は、第１の通信方法で通信する第１の通信部と第２の通信方法で通信する第２の通信部とを備え、
前記第２の通信部は、
前記第１の通信方法によるポーリング電文ならびに当該第２の通信部を備える通信装置を示す端末識別子が予め記憶された記憶部を備え、
前記動作方法は、
前記第２の通信部の中継処理部が、外部から前記第２の通信方法によるポーリング電文を受信したなら、前記記憶部から端末識別子を読み出し、当該ポーリング電文に対する、当該端末識別子を含む応答の電文を作成し、外部に送出し、
前記第２の通信部の中継処理部が、当該ポーリング電文から当該ポーリング電文を送信した通信装置を示す端末識別子を取り出し、前記記憶部からポーリング電文を読み出し、当該端末識別子を当該ポーリング電文に含ませ、当該ポーリング電文を前記第１の通信部へ送信する
ことを特徴とする通信装置の動作方法。
【発明の詳細な説明】
【技術分野】
【０００１】
本発明は、通信装置およびその動作方法に関するものである。
【背景技術】
【０００２】
近年にあっては、非接触ＩＣカードを使った入退室システムや改札システムが増えている。
【０００３】
これらのシステムは、ポーリングコマンドを作成する上位装置（例えば入退管理サーバ）と、ポーリングコマンドを所定の通信方法によるポーリング電文へ変換し送出する中継装置（例えばＩＣカードＲＷ）と、任意の通信手段と通信する変換部および入退時に必要な識別情報を管理する識別情報管理部を有するモバイル端末（例えばＩＣカード）とを備える構成になっており、上位装置がポーリングコマンドを中継装置へ送り、中継装置はそれをトリガーにして任意の間隔でポーリング電文を繰り返し送出し、モバイル端末を検知している。
【先行技術文献】
【非特許文献】
【０００４】
【非特許文献１】ワイヤレスカードシステムの応用  技術資料  ＡＲＩＢ  ＴＲ−Ｔ１０  １．０版、Ｐ．１３、［ｏｎｌｉｎｅ］、社団法人  電波産業会、［平成２３年３月８日検索］、インターネット＜ＵＲＬ：  ｈｔｔｐ：／／ｗｗｗ．ａｒｉｂ．ｏｒ．ｊｐ／ｅｎｇｌｉｓｈ／ｈｔｍｌ／ｏｖｅｒｖｉｅｗ／ｄｏｃ／３−ＴＲ−Ｔ１０ｖ１＿０．ｐｄｆ＞
【非特許文献２】五郎丸秀樹・池田実・細田泰弘「近接通信と連携する利便性の高い非接触ICカードシステムの考察」 『第146回 マルチメディア通信と分散処理・第52回コンピュータセキュリティ合同研究発表会』 2011
【発明の概要】
【発明が解決しようとする課題】
【０００５】
ところで、既存の入退室システムにおいて、非接触ＩＣカードに使用される既存の通信方法（以下、通信方法Ｍという）だけでなく、ＰＡＮ（Ｐｅｒｓｏｎａｌ  Ａｒｅａ  Ｎｅｔｗｏｒｋ）や電界通信等の新たな通信方法（以下、通信方法Ｎという）も使用できるようにし、通信方法Ｍの通信方法によるポーリング電文は変更せず、システムの変更を最小限にして、通信方法Ｎを使用できるようにする場合、下記の実現要件に対応することが必要となる。
【０００６】
１）通信方法Ｍのポーリング電文および応答の電文は、中継装置とモバイル端末の間で送受信される必要があり、通信方法Ｎのポーリング電文および応答の電文も同様である。  ２）通信方法Ｎを用いる通信部に対しては、通信方法Ｍを用いる通信部から通信方法Ｍのポーリング電文が送信される。かかるポーリング電文は、通信方法Ｎを用いる通信部にはデータにしか見えない。そのため、通信方法Ｎを用いる通信部は、通信方法Ｍのポーリング電文を含む電文を通信方法Ｎにより送信し、応答の電文から通信方法Ｍによるポーリング電文に対する応答の電文を取り出し、通信方法Ｍを用いる通信部に送信する必要がある。なお、通信方法Ｍを用いる通信装置から通信方法Ｎを用する通信装置に対してポーリング電文を送信する場合も同様の処理を要する。
【０００７】
１）、２）の要件を満たすためには、既存のシステムと比べ、新たなシステムでの追加処理として、「通信方法Ｎによるポーリング処理」と「通信方法Ｎによるデータ（通信方法Ｍのポーリング電文とその応答電文）伝送処理」と「モバイル端末内での通信方法Ｍによるポーリング処理」が必要となる。
【０００８】
しかし、１）、２）の実現要件に対応して新たな処理が追加されることにより新たな処理時間を要し、通信方法Ｍでは制限時間内に終わっていたポーリングが、通信方法Ｍ、Ｎを使用することでタイムアウトが発生し、制限時間以内にポーリングを終わらせることができない場合がある。
【０００９】
これに対し、非特許文献１では、「通信方法Ｎによるポーリング処理」を事前に行うこと、あるいは「異なる通信方法のデータ変換処理や並行処理」を実施することで、「通信方法Ｎによるデータ伝送処理」と「モバイル端末内での通信方法Ｍによるポーリング処理」を回避したが、新たに通信方式毎の端末識別子を変換テーブルから検索して変換する「変換テーブルによる端末識別子変換処理」が発生する。
【００１０】
以下、この「変換テーブルによる端末識別子変換処理」を伴う動作について説明する。
【００１１】
図１０において、通信装置１００の通信部１２は、通信方法Ｍにおける通信装置１００の端末識別子Ｍ１を含む通信方法Ｍの電文Ｄ０１を通信装置１００の通信部１３Ａに送信する（Ｔ１０１）。
【００１２】
これにより、通信部１３Ａは、通信方法Ｎにおける通信装置１００の端末識別子Ｎ１を含む通信方法Ｎの電文Ｄ０２を通信装置２００に送信する（Ｔ１０３）。
【００１３】
通信装置２００の通信部２３Ａは、電文Ｄ０２を受信したら、通信方法Ｎにおける通信装置２００の端末識別子Ｎ２を含む通信方法Ｎの電文Ｄ０４を通信装置１００に送信する（Ｔ１０５）。
【００１４】
通信部１３Ａは、電文Ｄ０４を受信したら、電文Ｄ０４から端末識別子Ｎ２を取り出し、予め記憶した変換テーブルに基づいて、これを端末識別子Ｍ２に変換し（Ｔ１０７）、端末識別子Ｍ２を含む通信方法Ｍの電文Ｄ０３を通信部１２に送信する（Ｔ１０９）。
【００１５】
通信部２３Ａは、電文Ｄ０２を受信した際には、電文Ｄ０２から端末識別子Ｎ１を取り出し、予め記憶した変換テーブルに基づいて、これを端末識別子Ｍ１に変換し（Ｔ１１１）、端末識別子Ｍ１を含む通信方法Ｍの電文Ｄ０１を通信部２２に送信する（Ｔ１１３）。これにより、通信部２２は、端末識別子Ｍ２を含む通信方法Ｍの電文Ｄ０３を通信部２３Ａに送信する（Ｔ１１５）。
【００１６】
本発明は、上記の課題に鑑みてなされたものであり、その目的とするところは、２つの通信方法を使用する通信装置におけるポーリングを早期に終了させることのできる技術を提供することにある。
【課題を解決するための手段】
【００１７】
上記の課題を解決するために、第１の本発明は、第１の通信方法で通信する第１の通信部と第２の通信方法で通信する第２の通信部とを備える通信装置であって、前記第２の通信部は、前記第１の通信方法によるポーリング電文に対する応答の電文が予め記憶された記憶部と、前記第１の通信部から前記第１の通信方法によるポーリング電文を受信したなら、当該ポーリング電文から当該通信装置を示す端末識別子を取り出し、前記第２の通信方法による、当該端末識別子を含むポーリング電文を作成し、外部に送出し、外部から当該ポーリング電文に対する応答の電文を受信したなら、当該電文から当該電文を送信した通信装置を示す端末識別子を取り出し、前記記憶部から電文を読み出し、当該端末識別子を当該電文に含ませ、当該電文を前記第１の通信部へ送信する中継処理部とを備えることを特徴とする通信装置をもって解決手段とする。
【００１８】
第２の本発明は、第１の本発明に係る通信装置とともに使用される通信装置であって、第１の通信方法で通信する第１の通信部と第２の通信方法で通信する第２の通信部とを備え、前記第２の通信部は、前記第１の通信方法によるポーリング電文が予め記憶された記憶部と、外部から前記第２の通信方法によるポーリング電文を受信したなら、当該ポーリング電文から当該ポーリング電文を送信した通信装置を示す端末識別子を取り出し、前記記憶部からポーリング電文を読み出し、当該端末識別子を当該ポーリング電文に含ませ、当該ポーリング電文を前記第１の通信部へ送信し、当該第１の通信部から当該ポーリング電文に対する応答の電文を受信したなら、当該電文から当該第２の通信部を備える通信装置を示す端末識別子を取り出し、当該外部から受信したポーリング電文に対する、当該端末識別子を含む応答の電文を作成し、外部に送出する中継処理部とを備えることを特徴とする通信装置をもって解決手段とする。
【００１９】
第３の本発明は、第１の本発明に係る通信装置とともに使用される通信装置であって、第１の通信方法で通信する第１の通信部と第２の通信方法で通信する第２の通信部とを備え、前記第２の通信部は、前記第１の通信方法によるポーリング電文ならびに当該第２の通信部を備える通信装置を示す端末識別子が予め記憶された記憶部と、外部から前記第２の通信方法によるポーリング電文を受信したなら、前記記憶部から端末識別子を読み出し、当該ポーリング電文に対する、当該端末識別子を含む応答の電文を作成し、外部に送出するとともに、当該ポーリング電文から当該ポーリング電文を送信した通信装置を示す端末識別子を取り出し、前記記憶部からポーリング電文を読み出し、当該端末識別子を当該ポーリング電文に含ませ、当該ポーリング電文を前記第１の通信部へ送信する中継処理部とを備えることを特徴とする通信装置をもって解決手段とする。
【００２０】
第４の本発明は、第１の通信方法で通信する第１の通信部と第２の通信方法で通信する第２の通信部とを備える通信装置の動作方法であって、前記第２の通信部は、前記第１の通信方法によるポーリング電文に対する応答の電文が予め記憶された記憶部を備え、前記動作方法は、前記第２の通信部の中継処理部が、前記第１の通信部から前記第１の通信方法によるポーリング電文を受信したなら、当該ポーリング電文から当該通信装置を示す端末識別子を取り出し、前記第２の通信方法による、当該端末識別子を含むポーリング電文を作成し、外部に送出し、前記第２の通信部の中継処理部が、外部から当該ポーリング電文に対する応答の電文を受信したなら、当該電文から当該電文を送信した通信装置を示す端末識別子を取り出し、前記記憶部から電文を読み出し、当該端末識別子を当該電文に含ませ、当該電文を前記第１の通信部へ送信することを特徴とする通信装置の動作方法をもって解決手段とする。
【００２１】
第５の本発明は、第１の本発明に係る記載の通信装置とともに使用される通信装置の動作方法であって、当該通信装置は、第１の通信方法で通信する第１の通信部と第２の通信方法で通信する第２の通信部とを備え、前記第２の通信部は、前記第１の通信方法によるポーリング電文が予め記憶された記憶部を備え、前記動作方法は、前記第２の通信部の中継処理部が、外部から前記第２の通信方法によるポーリング電文を受信したなら、当該ポーリング電文から当該ポーリング電文を送信した通信装置を示す端末識別子を取り出し、前記記憶部からポーリング電文を読み出し、当該端末識別子を当該ポーリング電文に含ませ、当該ポーリング電文を前記第１の通信部へ送信し、前記第２の通信部の中継処理部が、当該第１の通信部から当該ポーリング電文に対する応答の電文を受信したなら、当該電文から当該第２の通信部を備える通信装置を示す端末識別子を取り出し、当該外部から受信したポーリング電文に対する、当該端末識別子を含む応答の電文を作成し、外部に送出することを特徴とする通信装置の動作方法をもって解決手段とする。
【００２２】
第６の本発明は、第１の本発明に係る通信装置とともに使用される通信装置の動作方法であって、当該通信装置は、第１の通信方法で通信する第１の通信部と第２の通信方法で通信する第２の通信部とを備え、前記第２の通信部は、前記第１の通信方法によるポーリング電文ならびに当該第２の通信部を備える通信装置を示す端末識別子が予め記憶された記憶部を備え、前記動作方法は、前記第２の通信部の中継処理部が、外部から前記第２の通信方法によるポーリング電文を受信したなら、前記記憶部から端末識別子を読み出し、当該ポーリング電文に対する、当該端末識別子を含む応答の電文を作成し、外部に送出し、前記第２の通信部の中継処理部が、当該ポーリング電文から当該ポーリング電文を送信した通信装置を示す端末識別子を取り出し、前記記憶部からポーリング電文を読み出し、当該端末識別子を当該ポーリング電文に含ませ、当該ポーリング電文を前記第１の通信部へ送信することを特徴とする通信装置の動作方法をもって解決手段とする。
【発明の効果】
【００２３】
本発明によれば、２つの通信方法を使用する通信装置におけるポーリングを早期に終了させることのできる技術を提供することができる。
【図面の簡単な説明】
【００２４】
【図１】第１〜２の実施の形態に係る通信システムの構成図である。
【図２】第１〜２の実施の形態で使用される各電文の構成図である。
【図３】第１の実施の形態における中継部１３２と中継部２３２の構成図である。
【図４】第１〜２の実施の形態の通信部１３における処理の流れを示すフローチャートである。
【図５】第１の実施の形態の通信部２３における処理の流れを示すフローチャートである。
【図６】第１の実施の形態における通信システムの動作の一例を示すシーケンス図である。
【図７】第２の実施の形態における中継部２３２の構成図である。
【図８】第２の実施の形態の通信部２３における処理の流れを示すフローチャートである。
【図９】第２の実施の形態における通信システムの動作の一例を示すシーケンス図である。
【図１０】従来の通信システムの動作の一例を示すシーケンス図である。
【発明を実施するための形態】
【００２５】
以下、本発明の実施の形態について図面を参照して説明する。
【００２６】
［第１の実施の形態］
図１は、第１〜２の実施の形態に係る通信システムの構成図である。
【００２７】
通信装置１は、通信装置２内の情報を用いて情報処理を行う情報処理部１１と、情報処理部１１と有線で接続された通信部１２と、通信方法Ｍ（例えば、非接触カードに使用される磁界通信）によって通信部１２と通信し、通信装置２とは通信方法Ｎ（例えば、電界通信）によって通信する通信部１３を備える。
【００２８】
例えば、情報処理部２１は、ＩＣカードに記憶される識別情報やＰＩＮ（パスワード）等の認証情報（鍵等）および識別情報を有し、情報処理部１１も、情報処理部２１を認証し正しく識別すべく、これらの情報を有している。
【００２９】
例えば、この通信システムは、ＩＣカードの通信で用いられ、かかる通信では、情報処理部１１からのポーリングコマンドの送信で通信が始まり、情報処理部２１は、ポーリングコマンドを受信し、応答コマンドを送信する。つまり、この場合、通信システムは、マスタースレーブ構成になっている。このため、情報処理部１１は、受信した情報の照合に用いるべく、情報処理部２１内の情報を有している。
【００３０】
通信部１３は、通信装置１に新たに設けられたものであり、通信部１３が設けられる前の通信装置１は通信装置２と、つまり、通信部１２は、通信方法Ｍによって、通信装置２と通信していた。
【００３１】
しかし、通信部１３が設けられてからは、通信装置１は通信装置２と、つまり、通信部１３は、新たな通信方法、つまり、通信方法Ｍとは異なる通信方法Ｎで、通信装置２と通信する。
【００３２】
通信部１３は、通信方法Ｍによって通信部１２と通信する中継部１３１と、中継部１３１と有線で接続され、通信方法Ｎで通信装置２と通信する中継部１３２とを備える。
【００３３】
通信装置２は、通信装置１にとって必要な情報を有する情報処理部２１と、情報処理部２１と有線で接続された通信部２２と、通信方法Ｍによって通信部２２と通信し、通信装置１とは通信方法Ｎによって通信する通信部２３を備える。
【００３４】
通信部２３は、通信装置２に新たに設けられたものであり、通信部２３が設けられる前の通信装置２は通信装置１と、つまり、通信部２２は、通信方法Ｍによって、通信装置１と通信していた。
【００３５】
しかし、通信部２３が設けられてからは、通信装置２は通信装置１と、つまり、通信部２３は、通信方法Ｎで、通信装置２と通信する。
【００３６】
通信部２３は、通信方法Ｍによって通信部２２と通信する中継部２３１と、中継部２３１と有線で接続され、通信方法Ｎで通信装置１（つまり通信装置１の中継部１３２）と通信する中継部２３２とを備える。
【００３７】
図２は、第１〜２の実施の形態で使用される各電文の構成図である。
【００３８】
図２（ａ）に示す電文Ｄ１は、通信方法Ｍのポーリング電文であり、通信方法Ｍのヘッダおよびデータからなる。データには、情報処理部１１から送信されるポーリングコマンドが含まれる。ヘッダには、通信装置１を示す端末識別子ＩＤ１が含まれる。
【００３９】
端末識別子ＩＤ１は、通信方法Ｍ、Ｎで共用されるものである。例えば、一方の通信方法による端末識別子を端末識別子ＩＤ１とし、これを、以下のように、他方の通信方法でも用いるようにしてもよい。
【００４０】
図２（ｂ）に示す電文Ｄ２は、通信方法Ｎのポーリング電文であり、通信方法Ｎのヘッダおよびデータからなる。データには、電文Ｄ２がポーリング電文である旨の情報が含まれる。ヘッダには、通信装置１を示す端末識別子ＩＤ１が含まれる。
【００４１】
図２（ｃ）に示す電文Ｄ３は、電文Ｄ１（通信方法Ｍのポーリング電文）への応答の電文であり、通信方法Ｍのヘッダおよびデータからなる。データには、情報処理部２１から送信される応答コマンドが含まれる。ヘッダには、通信装置２を示す端末識別子ＩＤ２が含まれる。
【００４２】
端末識別子ＩＤ２は、端末識別子ＩＤ１１と同様に、通信方法Ｍ、Ｎで共用されるものである。例えば、一方の通信方法による端末識別子を端末識別子ＩＤ２とし、これを、以下のように、他方の通信方法でも用いるようにしてもよい。
【００４３】
図２（ｄ）に示す電文Ｄ４は、電文Ｄ２（通信方法Ｎのポーリング電文）への応答の電文であり、通信方法Ｎのヘッダおよびデータからなる。データには、電文Ｄ４がポーリング電文の応答である旨の情報が含まれる。ヘッダには、通信装置２を示す端末識別子ＩＤ２が含まれる。
【００４４】
図３は、第１の実施の形態における中継部１３２と中継部２３２の構成図である。
【００４５】
中継部１３２は、電文Ｄ２を外部に送出する中継処理部１３２１と、予め電文Ｄ３が記憶された記憶部１３２２とを備える。電文Ｄ３は、通信方法Ｍの電文であり、通信方法Ｎを用いる通信部１３は、例えば、電文Ｄ２は作成できるが、電文Ｄ３は作成できず、よって、予め電文Ｄ３を記憶している。
【００４６】
中継部２３２は、電文Ｄ４を外部に送出する中継処理部２３２１と、予め電文Ｄ１が記憶された記憶部２３２２とを備える。電文Ｄ１は、通信方法Ｍの電文であり、通信方法Ｎを用いる通信部２３は、例えば、電文Ｄ４は作成できるが、電文Ｄ１は作成できず、よって、予め電文Ｄ１を記憶している。
【００４７】
図４は、第１〜２の実施の形態の通信部１３における処理の流れを示すフローチャートである。
【００４８】
通信装置１が起動され、通信部１３の中継部１３１が、通信部１２から電文Ｄ１を受信した（Ｓ１：ＹＥＳ）なら、電文Ｄ１を中継部１３２へ転送する（Ｓ３）。
【００４９】
中継部１３２の中継処理部１３２１は、電文Ｄ１から端末識別子ＩＤ１を取り出す（Ｓ５）。
【００５０】
次に、中継処理部１３２１は、端末識別子ＩＤ１をヘッダに含む電文Ｄ２を作成し（Ｓ７）、電文Ｄ２を外部に送出する（Ｓ９）。
【００５１】
次に、中継処理部１３２１は、外部から電文Ｄ４を受信したか否かを判定する（Ｓ１１）。中継処理部１３２１は、電文Ｄ４を受信していないなら（Ｓ１１：ＮＯ）、タイムアウト（ステップＳ９の時刻から所定の時間が経過した）か否かを判定し（Ｓ１３）、タイムアウトでないなら、ステップＳ１１へ戻り、タイムアウトなら、ステップＳ９へ戻る。
【００５２】
中継処理部１３２１は、外部から電文Ｄ４を受信したなら（Ｓ１１：ＹＥＳ）、電文Ｄ４から端末識別子（例えば、端末識別子ＩＤ２）を取り出し（Ｓ１５）、記憶部１３２２から電文Ｄ３を読み出し、端末識別子を電文Ｄ３のヘッダに含ませ（Ｓ１７）、電文Ｄ３を中継部１３１を介して、通信部１２へ送信し（Ｓ１９）、処理を終える。
【００５３】
図５は、第１の実施の形態の通信部２３における処理の流れを示すフローチャートである。
【００５４】
通信装置２が起動され、通信部２３では、中継部２３２の中継処理部２３２１が、外部から電文Ｄ２を受信したなら（Ｓ１０１：ＹＥＳ）、電文Ｄ２から端末識別子（例えば、端末識別子ＩＤ１）を取り出し（Ｓ１０３）、記憶部２３２２から電文Ｄ１を読み出すとともに、端末識別子を電文Ｄ１のヘッダに含ませ（Ｓ１０５）、電文Ｄ１を中継部２３１を介して、通信部２２へ送信する（Ｓ１０７）。
【００５５】
次に、中継部２３１は、通信部２２から電文Ｄ３を受信したか否かを判定する（Ｓ１０９）。
【００５６】
中継部２３１は、電文Ｄ３を受信していないと判定したら（Ｓ１０９：ＮＯ）、タイムアウト（ステップＳ１０７の時刻から所定の時間が経過した）か否かを判定し（Ｓ１１１）、タイムアウトでないなら、ステップＳ１０９へ戻り、タイムアウトなら、ステップＳ１１３へ進む。
【００５７】
ステップＳ１１３では、中継処理部２３２１は、電文Ｄ１の送信回数が予め設定された規定回数より多いか否かを判定し、超えていないなら、ステップＳ１０７へ戻る。
【００５８】
中継処理部２３２１は、規定回数より多いなら、返信がないことを示す電文を通信装置２へ通知し（Ｓ１１５）、処理が終了する。
【００５９】
中継部２３１は、電文Ｄ３を受信したなら（Ｓ１０９：ＹＥＳ）、電文Ｄ３を中継部２３２へ転送する（Ｓ１２１）。
【００６０】
中継部２３２の中継処理部２３２１は、電文Ｄ３から端末識別子（例えば、端末識別子ＩＤ２）を取り出し（Ｓ１２３）、端末識別子をヘッダに含む電文Ｄ４を作成し（Ｓ１２５）、電文Ｄ４を外部に送出し（Ｓ１２７）、処理が終了する。
【００６１】
図６は、第１の実施の形態における通信システムの動作の一例を示すシーケンス図である。
【００６２】
図６は、通信装置１、２が互いに近づき、通信が開始される様子を示すものである。
【００６３】
通信装置１が起動されると、情報処理部１１は、ポーリングコマンドを通信部１２に送信する（Ｔ１１）。
【００６４】
通信部１２は、ポーリングコマンドを含む電文Ｄ１を作成し、中継部１３１を介して、中継部１３２に送信する（Ｔ１３、Ｔ１５）。
【００６５】
また、中継部１３２は、電文Ｄ１から端末識別子ＩＤ１を取り出し、端末識別子ＩＤ１を含む電文Ｄ２を作成し、外部に送出する（Ｔ１７）。
【００６６】
通信装置１、２の間の距離が長いと、電文Ｄ２は通信装置２に届かず、通信部１３は、タイムアウトと電文Ｄ２の送信を繰り返す。例えば、通信部１２も同様にタイムアウトとなり、電文Ｄ１が再び送信される。以降も同様に、通信装置１、２の間の距離が長いと、通信部１３は、タイムアウトと電文Ｄ２の送信を繰り返す。
【００６７】
情報処理部１１については、ここでは、タイムアウトとなるような設定がなされていないこととする。よって、情報処理部１１は、ポーリングコマンドに対する応答を待機する。
【００６８】
通信装置１、２が互いに近づき、通信部２３の中継部２３２は、電文Ｄ２を受信したら、電文Ｄ２から端末識別子ＩＤ１を取り出し、予め記憶した電文Ｄ１を読み出し、端末識別子ＩＤ１を電文Ｄ１のヘッダに含ませ、中継部２３１を介して、通信部２２へ送信する（Ｔ２１、Ｔ２３）。
【００６９】
通信部２２は、電文Ｄ１からポーリングコマンドを取り出し、情報処理部２１に送信する（Ｔ２５）。
【００７０】
情報処理部２１は、ポーリングコマンドを受信し、ポーリングコマンドに対する応答コマンド（例えば、肯定応答のコマンド）を作成し、通信部２２に送信する（Ｔ２７）。
【００７１】
通信部２２は、ポーリングコマンドを含む電文Ｄ３を作成し、中継部２３１を介して、中継部２３２に送信する（Ｔ２９、Ｔ３１）。
【００７２】
中継部２３２は、電文Ｄ３から端末識別子ＩＤ２を取り出し、端末識別子ＩＤ２をヘッダに含む電文Ｄ４を作成し、外部に送出する（Ｔ３３）。
【００７３】
通信装置１の通信部１３では、中継部１３２が、電文Ｄ４を受信したら、電文Ｄ４から端末識別子ＩＤ２を取り出し、予め記憶した電文Ｄ３を読み出し、端末識別子ＩＤ２を電文Ｄ３のヘッダに含ませ、中継部１３１を介して、通信部１２へ送信する（Ｔ３５、Ｔ３７）。
【００７４】
通信部１２は、電文Ｄ３から応答コマンドを取り出し、情報処理部１１に送信する（Ｔ３９）。
【００７５】
こうして、第１の実施の形態では、情報処理部１１、２１間のポーリングが終了し、その期間においては、通信部１２、２２間のポーリング、および、通信部１３、２３間のポーリングも終了する。
【００７６】
なお、情報処理部１１は、同様のシーケンスで、通信部１２、通信部１３、通信部２３、通信部２２を介して、情報処理部２１に対し通信を行う。ここでは、上記のＩＣカードの通信における認証情報や識別情報のやりとりがなされる。
【００７７】
したがって、第１の実施の形態によれば、通信装置１において、中継処理部１３２１は、通信部１２から通信方法Ｍによる電文Ｄ１（ポーリング電文）を受信したなら（Ｔ１３、Ｔ１５）、電文Ｄ１から通信装置１を示す端末識別子ＩＤ１を取り出し、通信方法Ｎによる、端末識別子ＩＤ１を含む電文Ｄ２（ポーリング電文）を作成し、外部に送出し（Ｔ１７）、外部から電文Ｄ２に対する応答の電文Ｄ４を受信したなら（Ｔ３３）、電文Ｄ４から電文Ｄ４を送信した通信装置２を示す端末識別子ＩＤ２を取り出し、記憶部１３２２から電文Ｄ３（通信方法Ｍによるポーリング電文Ｄ１に対する応答の電文）を読み出し、端末識別子ＩＤ２を電文Ｄ３に含ませ、電文Ｄ３を通信部１２へ送信する（Ｔ３５、Ｔ３７）。
【００７８】
また、第１の実施の形態によれば、通信装置２において、中継処理部２３２１は、外部から電文Ｄ２（通信方法Ｎによるポーリング電文）を受信したなら（Ｔ１７）、電文Ｄ２から、電文Ｄ２を送信した通信装置１を示す端末識別子ＩＤ１を取り出し、記憶部２３２２から電文Ｄ１（通信方法Ｍによるポーリング電文）を読み出し、端末識別子ＩＤ１を電文Ｄ１に含ませ、電文Ｄ１を通信部２２へ送信し（Ｔ２１、Ｔ２３）、通信部２２から電文Ｄ１に対する応答の電文Ｄ３を受信したなら（Ｔ２９、Ｔ３１）、電文Ｄ３から通信部２３を備える通信装置２を示す端末識別子ＩＤ２を取り出し、外部から受信した電文Ｄ２に対する、当該端末識別子ＩＤ２を含む応答の電文Ｄ４を作成し、外部に送出する（Ｔ３３）ので、変換テーブルによる端末識別子の変換が不要であり、よって、通信部１２、２２間のポーリング、および、通信部１３、２３間のポーリングを早期に終了させることができる。
【００７９】
［第２の実施の形態］
次に、本発明の第２の実施の形態について説明する。第２の実施の形態では、第１の実施の形態に同一または類似の装置および装置構成を用い、同一または類似のものについては第１の実施の形態で使用した符号を使用して重複説明を略し、第１の実施の形態とは異なる事項を中心に説明を行う。
【００８０】
図７は、第２の実施の形態における中継部２３２の構成図である。
【００８１】
中継部２３２は、中継処理部２３２１と、予め電文Ｄ１ならびに端末識別子ＩＤ２が記憶された記憶部２３２２とを備える。
【００８２】
図８は、第２の実施の形態の通信部２３における処理の流れを示すフローチャートである。
【００８３】
通信装置２が起動され、通信部２３では、中継部２３２の中継処理部２３２１が、外部から電文Ｄ２を受信したなら（Ｓ１０１：ＹＥＳ）、記憶部２３２２から端末識別子ＩＤ２を読み出し（Ｓ１３１）、端末識別子ＩＤ２をヘッダに含む電文Ｄ４を作成し（Ｓ１３３）、電文Ｄ４を外部に送出する（Ｓ１３５）。
【００８４】
また、第１の実施の形態と同様に、ステップＳ１０３〜Ｓ１２１が行われ、中継部２３２の中継処理部２３２１は、電文Ｄ３を廃棄し（Ｓ１４１）、処理が終了する。
【００８５】
図９は、第２の実施の形態における通信システムの動作の一例を示すシーケンス図である。
【００８６】
まず、第１の実施の形態と同様に、ステップＴ１１〜Ｔ１７が行われる。
【００８７】
通信部２３の中継部２３２は、電文Ｄ２を受信したなら、予め記憶した端末識別子ＩＤ２を読み出し、端末識別子ＩＤ２をヘッダに含む電文Ｄ４を作成し、電文Ｄ４を外部に送出する（Ｔ３３）。
【００８８】
以降、第１の実施の形態と同様に、ステップＴ３５〜Ｔ３９が行われ、ポーリングが終了する。
【００８９】
また、通信部２３の中継部２３２は、受信した電文Ｄ２から端末識別子ＩＤ１を取り出し、予め記憶した電文Ｄ１を読み出し、端末識別子ＩＤ１を電文Ｄ１のヘッダに含ませ、中継部２３１を介して、通信部２２へ送信する（Ｔ２１、Ｔ２３）。
【００９０】
通信部２２は、電文Ｄ１からポーリングコマンドを取り出し、情報処理部２１に送信する（Ｔ２５）。
【００９１】
情報処理部２１は、ポーリングコマンドを受信し、ポーリングコマンドに対する応答コマンドを作成し、通信部２２に送信する（Ｔ２７）。
【００９２】
通信部２２は、ポーリングコマンドを含む電文Ｄ３を作成し、中継部２３１を介して、中継部２３２に送信する（Ｔ２９、Ｔ３１）。中継部２３２は、電文Ｄ３を廃棄する。
【００９３】
したがって、第２の実施の形態によれば、通信装置２において、中継処理部２３２１は、外部から電文Ｄ２（通信方法Ｎによるポーリング電文）を受信したなら（Ｔ１７）、記憶部２３２２から、通信装置２を示す端末識別子ＩＤ２を読み出し、電文Ｄ２に対する、端末識別子ＩＤ２を含む応答の電文Ｄ４を作成し、外部に送出する（Ｔ３３）とともに、電文Ｄ２から、電文Ｄ２を送信した通信装置１を示す端末識別子ＩＤ１を取り出し、記憶部２３２２から電文Ｄ１（通信方法Ｍによるポーリング電文）を読み出し、端末識別子ＩＤ１を電文Ｄ１に含ませ、電文Ｄ１を通信部２２へ送信する（Ｔ２１、Ｔ２３）ので、変換テーブルによる端末識別子の変換が不要であり、よって、通信部１２、２２間のポーリング、および、通信部１３、２３間のポーリングを早期に終了させることができる。
【００９４】
なお、各実施の形態において、情報処理部１１、２１は、通信装置１、２でなく、外部の装置に設けてもよい。
【００９５】
また、通信装置１は、通信部１２の機能と情報処理部１１の機能を備えた通信部ならびに通信部１３を備える構成としてもよい。
【００９６】
また、通信装置２は、通信部２２の機能と情報処理部２１の機能を備えた通信部ならびに通信部２３を備える構成としてもよい。
【００９７】
また、各実施の形態に係る通信装置１や通信装置２の動作方法を装置に実行させるためのコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００９８】
１、２…通信装置
１１、２１…情報処理部
１２、１３、２２、２３…通信部
１３１、１３２、２３１、２３２…中継部
１３２１、２３２１…中継処理部
１３２２、２３２２…記憶部
【図１】
0005478548.tif 000002
【図２】
0005478548.tif 000003
【図３】
0005478548.tif 000004
【図４】
0005478548.tif 000005
【図５】
0005478548.tif 000006
【図６】
0005478548.tif 000007
【図７】
0005478548.tif 000008
【図８】
0005478548.tif 000009
【図９】
0005478548.tif 000010
【図１０】
0005478548.tif 000011